(57)【要約】【課題】  錠剤などの被計数物の正確な所定数の切り出しを可能とする切り出し計数装置を提供する。【解決手段】  錠剤などの粒体からなる被計数物２を収納するホッパ３と、このホッパの排出部３ａに連結されて、被計数物を切り出す切り出し筒４と、切り出し筒を回転させる回転手段５と、切り出し筒の排出側の端部４ｄに回転中心を同一にして装着可能な円筒形で形成され、被計数物を個別に収納する複数の溝７ａを円筒形の周辺部に備え、切り出し筒と共に回転可能に設けた計数アダプタ７と、被計数物の個数を計数する計数用センサ１６を備え、この計数アダプタの溝と咬合して計数アダプタの回転と共に、切り出し筒の回転中心とは異なる一定位置に固定された回転中心を有して回転する歯車状の突起７ｂａを有する羽根板７ｂを計数アダプタの内部に備え、羽根板に設けられた突起の一枚が開口部７ｅａに最も深く挿入される位置に来るように羽根板の回転中心を固定する。【選択図】図１
2012058969.tif 000002
【特許請求の範囲】
【請求項１】
錠剤などの粒体からなる被計数物（２）を収納するホッパ（３）と、
このホッパの排出部（３ａ）に連結されて、前記被計数物を切り出す切り出し筒（４）と、
この切り出し筒を回転させる回転手段（５）と、
前記切り出し筒の排出側の端部（４ｄ）に、前記切り出し筒と回転中心を同一にして装着可能な円筒形で形成され、前記被計数物を個別に収納する複数の溝（７ａ）を前記円筒形の周辺部に備え、前記切り出し筒と共に回転可能に設けた計数アダプタ（７）と、
前記計数アダプタから排出された前記被計数物の個数を計数する計数用センサ（１６）と、
を備える切り出し計数装置（１）において、
前記計数アダプタは、この計数アダプタの前記溝と咬合して前記計数アダプタの回転と共に、前記切り出し筒の回転中心とは異なる一定位置に固定された回転中心（７ｂｂ）を有して回転する歯車状の突起（７ｂａ）を有する羽根板（７ｂ）を前記計数アダプタの内部に備えたことを特徴とする切り出し計数装置。
【請求項２】
前記計数アダプタには、前記被計数物を排出する開口部（７ｅａ）が設けられ、前記羽根板に設けられた前記突起の一枚が前記開口部に最も深く挿入される位置に来るように前記羽根板の回転中心を固定することを特徴とする請求項１に記載の切り出し計数装置。
【請求項３】
前記開口部は計数アダプタの溝が最下点から６０〜１００度の角度を回転した位置に開口されていることを特徴とする請求項２に記載の切り出し計数装置。
【請求項４】
前記羽根板は、ジュラコンで形成されていることを特徴とする請求項１に記載の切り出し計数装置。
【発明の詳細な説明】
【技術分野】
【０００１】
本発明は、錠剤などの粒体を計数して袋詰めする切り出し計数装置に関し、切り出し筒の排出側の端面に錠剤を個別に切り出す溝を有する計数アダプタを備えた切り出し計数装置に関する。
【背景技術】
【０００２】
従来の切り出し計数装置として、例えば、微粒や粉状のかやくを袋に収納するなど計量して小袋に袋詰めする切り出し秤量装置を用いて、錠剤などの小粒の粒体の秤量値を１個当たりの重さを用いて所定数だけ小袋に袋詰めする切り出し計数装置がある。以下に切り出し秤量装置を用いて計数した場合を説明する。
図５は、従来の切り出し秤量装置の概略を示す正面断面図である。
図５に示すように、切り出し秤量装置１１０は、被秤量物１１１を収納するホッパ１１２と、このホッパ１１２の排出部１１２ａに連結されて、被秤量物１１１を切り出す下方傾斜した適度な長さの切り出し筒１１３と、この切り出し筒１１３を回転させる回転手段（モータ回転機構）１１５と、排出口１１６ａに開閉蓋１１７が設けられて、切り出し筒１１３から投下された被秤量物１１１を受ける受け部材１１６と、この受け部材１１６が受けた被秤量物１１１を秤量する秤量器１１８と、受け部材１１６に設けられた開閉蓋１１７を開閉する開閉手段（ソレノイド）１１９を備えている。
なお、ここでいう被秤量物１１１とは、ホッパ１１２内から切り出し可能な粉粒体、片状体、小塊状体などをいう。
【０００３】
また、この切り出し秤量装置１１０は、ホッパ１１２の排出部１１２ａと切り出し筒１１３との間に、被秤量物１１１の切り出し調整可能な筒状のアタッチメント１４１を着脱可能に設けるように構成されている。このアタッチメント１４１は、内部流路の内径を異ならせて被秤量物１１１の切り出し調整をするものである。
このアタッチメント１４１には、ホッパ１１２側の端部に被秤量物１１１の切り出し突起１４１ａが設けられ、また、ホッパ１１２側の排出部１１２ａに被秤量物１１１の切り出し螺旋体１４１ｄが設けられている。
【０００４】
これによってホッパ１１２の排出部１１２ａから排出された被秤量物１１１は、回転手段１１５により回転している下方傾斜した切り出し筒１１３から、連続的に切り出されて受け部材１１６内に投下され、秤量器１１８により秤量され、所定重量に達したら開閉手段１１９により受け部材１１６の開閉蓋１１６ａを開いて、秤量された被秤量物１１１を排出するので、正確な所定量の切り出しができて、被秤量物１１１の過剰または過少切り出しによるコスト高や不良品処置の手間などを解消できる。ここで、特に回転する下方傾斜した適度な長さの切り出し筒１１３内を被秤量物１１１が徐々に流れるので、被秤量物１１１の均一化が行なわれ、切り出し筒１１３の下端から定量排出が行なわれる。また、切り出し量の調整は、切り出し筒１１３の回転速度および／または傾斜を変えることによって可能である。
【０００５】
また、ホッパ１１２の排出部１１２ａと切り出し筒１１３との間に着脱可能なアタッチメント１４１を装着するので、ホッパ内の被秤量物を切り出し筒１１３内へ導入する切り出し調整が、被秤量物１１１の大きさや形状などの品種に応じてできる。
さらに、ホッパ１１２の排出部１１２ａから排出された流動性の良い被秤量物（例えば胡麻）１１１は、アタッチメント１４１を通過する際に、その内径が異なる（有効通過断面積が異なる）内部流路を通過して流量調整されるので、粒径の小さな被秤量物１１１の流量調整が容易にできる。
【０００６】
そして、切り出し筒１１３と共にアタッチメント１４１が回転すると、その切り出し突起１４１ａが、例えばホッパ１１２の排出部１１２ａ付近にある固まった被秤量物１１１を掻き崩すので、切り出しにおいて、被秤量物１１１がホッパ１１２の排出部１１２ａ付近で詰まり難い。
また、切り出し筒１１３と共にアタッチメント１４１が回転すると、その切り出し螺旋体１４１ｄが所定方向へ回転するが、切り出し螺旋体１４１ｄの曲がり方向と同一方向に回転する場合には、ホッパ１１２の排出部１１２ａ付近にある被秤量物１１１の切り出し筒１１３側への流入を促進し、また切り出し螺旋体１４１ｄの曲がり方向と反対方向に回転する場合には、ホッパ１１２の排出部１１２ａ付近の被秤量物１１１の切り出し筒１１３側への流入を抑制し、被秤量物１１１の品種に合わせて、その回転方向を正逆選択することにより、被秤量物１１１の切り出し調整の幅が広がる。このようにホッパ１１２内の被秤量物１１１を、軸芯ａが下方傾斜した切り出し筒１１３を回転手段１３０により回転させながら、徐々に受け部材１１６に投下し、それを秤量器１１８により秤量するようにしたので、正確な所定量の切り出しができて、被秤量物１１１の過剰または過少切り出しによるコスト高や不良品処置の手間などを解消できる。
特に、ホッパ１１２の排出部１１２ａに着脱可能に装着されたアタッチメント１４１により、ホッパ１１２内の被秤量物１１１を切り出し筒１１３内へ導入する切り出し調整が、被秤量物１１１の大きさや形状などの品種に応じて簡単にできる（特許文献１参照）。
【先行技術文献】
【特許文献】
【０００７】
【特許文献１】特許第２６４９３３５号
【発明の概要】
【発明が解決しようとする課題】
【０００８】
しかしながら、微粒や粉状のかやくを袋に収納するなど計量して小袋に袋詰めする切り出し秤量装置を用いて、錠剤などの小粒の粒体を計量して所定量を小袋に袋詰めして所定数の錠剤の計数に兼用した場合に一個でも計数を間違うと再工事をしなければならず余分な工数が発生する可能性があった。
【０００９】
本発明はこのような事情に鑑みてなされたもので、切り出し筒の排出側の端部に複数の溝やこの溝と咬合して被計数物を押し出す歯車状の突起を備えた計数アダプタを設けることによって、錠剤などの被計数物の正確な所定数の切り出しを可能とし、被計数物の過剰または過少切り出しによるコスト高や不良品処置の手間などを解消できる切り出し計数装置を提供することを目的とする。
【課題を解決するための手段】
【００１０】
請求項１に係る発明の切り出し計数装置１は、錠剤などの粒体からなる被計数物２を収納するホッパ３と、このホッパ３の排出部３ａに連結されて、前記被計数物２を切り出す切り出し筒４と、この切り出し筒４を回転させる回転手段５と、前記切り出し筒４の排出側の端部４ｄに前記切り出し筒４と回転中心を同一にして装着可能な円筒形で形成され、前記被計数物２を個別に収納する複数の溝７ａを前記円筒形の周辺部に備え、前記切り出し筒４と共に回転可能に設けた計数アダプタ７と、前記計数アダプタ７から排出された前記被計数物２の個数を計数する計数用センサ１６と、を備える切り出し計数装置１において、前記計数アダプタ７は、この計数アダプタ７の前記溝７ａと咬合して前記計数アダプタ７の回転と共に、前記切り出し筒４の回転中心とは異なる一定位置に固定された回転中心を有して回転する歯車状の突起７ｂａを有する羽根板７ｂを前記計数アダプタ７の内部に備えたことを特徴とする。
【００１１】
請求項２に係る発明は、請求項１に記載の切り出し計数装置１であって、前記計数アダプタ７には、前記被計数物２を排出する開口部７ｅａが設けられ、前記羽根板７ｂに設けられた前記突起７ｂａの一枚が前記開口部７ｅａに最も深く挿入される位置に来るように前記羽根板７ｂの回転中心を固定することを特徴とする。
【００１２】
請求項３に係る発明は、請求項２に記載の切り出し計数装置１であって、前記開口部は計数アダプタの溝が最下点から６０〜１００度の角度を回転した位置に開口されていることを特徴とする。
【００１３】
請求項４に係る発明は、請求項１に記載の切り出し計数装置１であって、前記羽根板７ｂは、ジュラコンで形成されていることを特徴とする。
【発明の効果】
【００１４】
請求項１に係る発明によれば、錠剤などの粒体からなる被計数物を切り出す切り出し筒の排出側の端部に切り出し筒と回転中心を同一にして装着可能な円筒形で形成され、被計数物を個別に収納する複数の溝を円筒形の周辺部に備え、切り出し筒と共に回転可能に設けた計数アダプタの前記溝と咬合して前記計数アダプタの回転と共に、前記切り出し筒の回転中心とは異なる一定位置に固定された回転中心を有して回転する歯車状の突起を有する羽根板を前記計数アダプタの内部に備えたことによって、錠剤などの粒体の正確な所定数の切り出しが確実に可能となり、被計数物の過剰または過少切り出しによるコスト高や不良品処置の手間などを解消できる切り出し計数装置を提供することができる。
【００１５】
請求項２に係る発明によれば、羽根板に設けられた突起の一枚が開口部に最も深く挿入される位置に来るように羽根板の回転中心を固定することによって、計数アダプタの溝と咬合して、計数アダプタの溝の回転と共に回転して、羽根板に設けられた突起の一枚が開口部に深く挿入されて錠剤などの粒体からなる被計数物を開口部から確実に押し出すことができる。
【００１６】
請求項３に係る発明によれば、開口部を計数アダプタの溝が最下点から６０〜１００度の角度を回転した位置に開口していることによって、被計数物をその自重による飛び出しとともにほぼ斜め下から遅くともわずかに斜め上に飛び出させることができるため、錠剤などの粒体からなる被計数物を開口部から確実に押し出すことができる。
【００１７】
請求項４に係る発明によれば、羽根板をジュラコンで形成することによって、柔軟さと耐久性を備え、錠剤などの粒体からなる被計数物を排出ミスすることなく、開口部から確実に押し出すことができる。
【発明を実施するための形態】
【００１８】
＜第１の実施形態＞
以下、本発明の第１の実施形態に係る切り出し計数装置を図面を参照しながら詳細に説明する。
図１は、本発明の実施形態を説明するための切り出し計数装置の正面図である。図２は、本発明の実施形態に係る切り出し筒の周辺を示す正面図である。
図１および図２に示すように、切り出し計数装置１は、錠剤などの粒体からなる被計数物２を収納するホッパ３と、このホッパ３の排出部３ａに連結されて、被計数物２を切り出す切り出し筒４と、この切り出し筒４を回転させる電動機である回転手段５と、切り出し筒４から排出された被計数物２を計数する計数用センサ１６と、切り出し筒４の排出側の端部４ｄに被計数物２を個別に収納する溝７ａ（図４参照）を有し、円筒形で回転可能に設けられた計数アダプタ７を備えている。
【００１９】
また、この切り出し筒４から投下された被計数物２を受ける受け部材６と、この受け部材６の排出口６ａに設けられた開閉蓋８と、この開閉蓋８の開閉手段９とを備え、切り出し筒４は、外筒４ａと、この外筒４ａに着脱自在に外嵌された内筒４ｂと、外筒４ａのホッパ側の端部４ａａに当接されている内筒４ｂのフランジ４ｂｂとを備える。内筒４ｂは、摩擦係数の小さいジュラコンを用いて形成した。このフランジ４ｂｂを外筒４ａのホッパ３側の端部４ａａに当接させて、内筒４ｂと外筒４ａとを着脱可能に嵌挿することによって、被計数物２が流動する部品を取り外して洗浄するのに都合の良い構造とすることができる。また、切り出し筒４の内筒４ｂの洗浄後には、内筒４ｂを外筒４ａに挿入して外筒４ａの端部４ａａに、この内筒４ｂのフランジ４ｂｂを当接させることで位置決めされる。
【００２０】
また、切り出し筒４の外筒４ａのほぼ両端部がリング状のベアリングに嵌挿された状態で架台１２上に回転可能に配置され、この切り出し筒４の上部にそれぞれの切り出し筒４に対応したモータ回転機構５が配置されている。そして、外筒４ａの周囲に外嵌して固定された第１の歯車（平歯車）１０と、回転手段５の回転軸５ａに固定された第２の歯車（平歯車）１１とが咬合するように配設され、第２の歯車１１の回転駆動力が第１の歯車１０に伝達されて、外筒４ａおよび内筒４ｂを回転させる。架台１２は支柱１３と支柱１４に支持されている。支柱１３と架台１２とは、軸１２ａによって回動可能に設けられている。また、支柱１４には支柱１４の長さを調節することが可能なように高さ調節構造がナット１４ａを回転させることで機能するように設けられている。そして支柱１４と架台１２とは、架台１２が軸１２ａを支点にして上下するように軸１２ｂが架台１２の軸穴１２ｃを摺動可能に設けられている。なお、高さ調整構造はローレット切りのナット１４ａを回転させることで支柱１４を上下させるが、電動機で回転させて自動調整させても構わない。
このように、外筒４ａの周囲に外嵌して固定された第１の歯車１０と、回転手段５の回転軸５ａに固定された第２の歯車１１とが咬合するように配設されることによって、被計数物が流動する部品を取り外して洗浄するのに都合の良い構造とすることができ、内筒４ｂが簡単に取り外され、被計数物が切り出される内面４ｂａの洗浄を容易にした衛生的な切り出し計数装置を提供することができる。
【００２１】
図３は、本発明の実施形態に係る切り出し筒の周辺を示す側面図であり、図３の（ａ）は１つの切り出し筒を設けた場合を示し、図３の（ｂ）は３つの切り出し筒を設けた場合を示している。図４は、本発明の実施形態に係る計数アダプタを示し、図４の（ａ）は正面図、図４の（ｂ）は（ａ）に示すＢ矢視図である。
図３の（ａ）（ｂ）および図４の（ａ）（ｂ）に示すように、切り出し筒４の排出側の端部４ｄに切り出し筒４と回転中心を同一にして装着可能な円筒形で形成され、被計数物２を個別に収納する複数の溝７ａを円筒形の周辺部に備え、切り出し筒４と共に回転可能な計数アダプタ７が設けられている。この計数アダプタ７は、円筒形の基部７ｇと、基部７ｇから基部７ｇの円筒中心軸方向に沿って等間隔に設けられた複数の突起７ｆと、基部７ｇおよび突起７ｆの外周を覆う囲い部７ｅとを備え、隣接する２つの突起７ｆ、７ｆと、囲い部７ｅとの間には溝７ａが形成されている。なお、計数アダプタ７は、回転しない囲い部７ｅと、回転するそれ以外の計数アダプタ本体とに分けて考える。この囲い部７ｅは回転することなく切り出し計数装置１本体のいずれかに固定されている。すなわち、計数アダプタ７は、切り出し筒４の排出側の端部４ｄに挿入可能な円筒形に形成され、円筒形の内側には円筒中心軸方向に沿って複数の溝７ａ、７ａ…が設けられている。溝７ａは被計数物である粒体の形状に合った形状に形成されている。また、溝７ａは円筒軸中心から放射状に形成されて、溝７ａ、７ａ…は等間隔に設けられている。
【００２２】
このように、錠剤などの粒体からなる被計数物２を切り出す切り出し筒４の排出側の端部４ｄに計数アダプタ７を設けることによって、被計数物２である錠剤などの粒体が溝７ａにきちんと収まる。また、溝７ａを円筒軸中心に対して放射状および等間隔に設けたことによって、均一なスピードで錠剤などの粒体の正確な所定数の切り出しが可能になる。また、溝７ａは隣接する２個の羽根状の突起７ｆ、７ｆの間に形成されている。つまり、隣接する２個の羽根状の突起７ｆ、７ｆに囲まれた空間とその周囲を覆っている囲い部７ｅによってコの字形の溝７ａが形成されることになる。このように、計数アダプタ７の円筒形内面に沿って隣接する２個の羽根状の突起７ｆ、７ｆを設けることによって８か所に溝７ａが形成され、錠剤などの粒体２、２…を一個ずつ個別に切り出し続けることができる。また、溝７ａの数は８箇所としたが、２４箇所の実施例もあり、用途次第で適宜増減可能である。
また、溝７ａの外側を覆う囲い部７ｅは、計数アダプタ７が回転するとともに摺動可能に設けられている。この囲い部７ｅには開口部７ｅａが一か所設けられている。この開口部７ｅａは計数アダプタ７が最下点から６０〜１００度の角度を回転した位置に開口されている。なお、囲い部７ｅは円筒形でも良いし、被計数物２を排出するまでの一部の溝７ａだけを囲う曲面を備えた板であっても構わない。なお、６０〜１００度の角度は、計数アダプタから錠剤が排出され易いように適宜微調整可能であり、６０〜１００度の角度の前後に及んでも構わない。
【００２３】
計数アダプタ７は、この計数アダプタ７の溝７ａと咬合して計数アダプタ７の回転と共に、切り出し筒４の回転中心とは異なる一定位置に固定された回転中心を有して回転する歯車状の突起７ｂａを有するジュラコンで形成された羽根板７ｂを計数アダプタ７の内部に備えている。この羽根板７ｂに設けられた突起７ｂａの一枚が開口部７ｅａに最も深く挿入される位置に来るように羽根板７ｂの回転中心７ｂｂを固定されている。
このように、錠剤などの粒体からなる被計数物を切り出す切り出し筒の排出側の端部に切り出し筒と回転中心を同一にして装着可能な円筒形で形成され、被計数物を個別に収納する複数の溝を円筒形の周辺部に備え、切り出し筒と共に回転可能に設けた計数アダプタの溝と咬合して計数アダプタの回転と共に、切り出し筒の回転中心とは異なる一定位置に固定された回転中心を有して回転する歯車状の突起を有する羽根板を計数アダプタの内部に備えたことによって、錠剤などの粒体の正確な所定数の切り出しが確実に可能となり、被計数物の過剰または過少切り出しによるコスト高や不良品処置の手間などを解消できる切り出し計数装置を提供することができる。
【００２４】
また、羽根板に設けられた突起の一枚が開口部に最も深く挿入される位置に来るように羽根板の回転中心を固定することによって、計数アダプタの溝と咬合して、計数アダプタ本体の回転と共に回転して、羽根板に設けられた突起の一枚が開口部に深く挿入されて錠剤などの粒体からなる被計数物を開口部から確実に押し出すことができる。
【００２５】
さらに、開口部が計数アダプタの溝が最下点から６０〜１００度の角度を回転した位置に開口されていることによって、被計数物をその自重による飛び出しとともにほぼ斜め下から遅くともわずかに斜め上に飛び出させることができるため、錠剤などの粒体からなる被計数物を開口部から確実に押し出すことができる。
また、羽根板をジュラコンで形成することによって、柔軟さと耐久性を備え、錠剤などの粒体からなる被計数物を排出ミスすることなく、開口部から確実に押し出すことができる。
【００２６】
また、開口部７ｅａの外側には受け部材６との間の位置に計数アダプタ７から排出された被計数物２の個数を計数する計数用センサ１６が設けられている。この計数用センサ１６は光透過型センサを採用しているが、落下する粒体の個数を計数出来るものであればこれに限定するものではなく、反射式センサでも、アクチュエータ式であっても構わない。これによって、円筒形の回転の最下点に来た溝７ａの中に錠剤などの被計数物２が収まり、この収まった被計数物２が最下点から６０度の角度付近に上がって来たとき、遠心力と重力によって、開口部７ｅａからこぼれるように受け部材６側へ飛び出す。このとき落下している錠剤などの被計数物２が計数用センサ１６の光を遮ることによって、被計数物２の個数が計数される。そして受け部材６に所定の個数が収納されると開閉蓋８が開き、所定の数の錠剤の被計数物２が小袋に収納される。
計数アダプタ７は、本願発明では特にジュラコンで形成した例で説明している。これによれば、計数アダプタ７の本体を形成する基部７ｇや突起７ｆ、囲い部７ｅおよび羽根板７ｂをジュラコンで形成することによって、柔軟さと耐久性を備え、錠剤などの粒体からなる被計数物を排出ミスすることなく、開口部から確実に押し出すことができ、被計数物の過剰または過少切り出しによるコスト高や不良品処置の手間などを解消できる。
【００２７】
次に、切り出し計数装置の動作を説明する。図１〜図４に示すように、ホッパ３の排出部３ａから排出された被計数物２は、回転手段５により回転している切り出し筒４から、連続的に切り出されて受け部材６内に投下され、受け部材６の被計数物２が所定数に達したら、電動の開閉手段９により受け部材６の開閉蓋８を開いて、計数された被計数物２を排出する。ここで、回転駆動される切り出し筒４内を被計数物２が徐々に流れるので、被計数物２の均一化が図られ、切り出し筒４の排出側の下端から定量排出が行なわれる。また、切り出し量の調整は、切り出し筒４の回転速度を変えることによって可能である。
【００２８】
この切り出し筒４は、水平ラインａに対して０〜１０°、好ましくは２〜５°前後ほど軸芯ｂが下方傾斜した円筒形の筒体である。ただし、切り出し筒４の傾斜角は、これらの数値に限定されるものではない。なお、この切り出し筒４の長さは少なくとも内径の３〜５倍程度となっている。この切り出し筒４の排出側の端部４ｄに設けられた計数アダプタ７に送られてきた被計数物２は、その計数アダプタ７の円筒形の最下点にある溝７ａに落し込まれ、計数アダプタ７の回転と共に溝７ａに位置決めされて上昇して行く。計数アダプタ７の最下点に位置する溝７ａから６０〜１００度回転した位置に設けられた、囲い部７ｅによって囲まれていない開口部７ｅａから、被計数物２が計数アダプタ７の外部に送り出され下方の受け部材６へ落下する。このとき計数用センサ１６が被計数物２の通過を検出して、排出された被計数物２の計数結果を積算し、予め設定された所定数だけ受け部材６内に被計数物２が溜まったときに、制御装置（図略）は切り出し筒４から受け部材６への被計数物２の投下を止めて、ソレノイド駆動の開閉装置９によって開閉蓋８が開蓋される。これにより、計数済みの被計数物２は、受け部材６から、シュート１５を介して、袋詰め装置（図略）に送られる。次いで、開閉蓋８を閉め、以下、これまでの計数操作を繰り返す。
従来の計数装置は、平面状ドラム式が用いられ、大型化する傾向にあったが、本願発明の計数装置は、小径管（パイプ）を用いて計数を可能とした本分野では画期的な計数装置である。
【００２９】
このように、錠剤などの粒体からなる被計数物を切り出す切り出し筒の排出側の端部に計数アダプタを設けることによって、錠剤などの粒体の正確な所定数の切り出しができ、被計数物の過剰または過少切り出しによるコスト高や不良品処置の手間などを解消できる切り出し計数装置を提供することができる。
計数アダプタを切り出し筒の排出側の端部に挿入可能な円筒形に形成し、円筒形の内側には円筒中心軸方向に複数の溝を設けることによって、粒体が溝にきちんと収まり正確な所定数の切り出しができ、被計数物の過剰または過少切り出しによるコスト高や不良品処置の手間などを解消できる。
【００３０】
溝が粒体の形状に合った形状に形成されることによって、被計数物である錠剤などの粒体が溝にきちんと収まり正確な所定数の切り出しができ、被計数物の過剰または過少切り出しによるコスト高や不良品処置の手間などを解消できる。
溝を円筒軸中心に対して放射状に形成することによって、正確な所定数の切り出しができ、被計数物の過剰または過少切り出しによるコスト高や不良品処置の手間などを解消できる。
溝を等間隔に設けることによって、均一なスピードで錠剤などの粒体の正確な所定数の切り出しができ、被計数物の過剰または過少切り出しによるコスト高や不良品処置の手間などを解消できる。
【００３１】
計数アダプタの円筒形内面に隣接する２個の羽状の突起を設けることによって溝が形成され、正確な所定数の切り出しができ、被計数物の過剰または過少切り出しによるコスト高や不良品処置の手間などを解消できる。
計数アダプタをジュラコンで形成することによって、錠剤などの粒体を滑らかに容易に正確な所定数の切り出しができ、被計数物の過剰または過少切り出しによるコスト高や不良品処置の手間などを解消できる。
切り出し筒から排出された被計数物を受ける受け部材と、この受け部材の排出側に設けられた開閉蓋と、この開閉蓋を開閉する開閉手段と、を備えることによって、所定の数量を一度に袋詰めするなどの収納が可能となり、正確な所定数の切り出しができ、被計数物の過剰または過少切り出しによるコスト高や不良品処置の手間などを解消できる。
【００３２】
以上、好ましい実施の形態を説明したが、本発明は前記実施の形態に限定されるものではなく、本発明の要旨を逸脱することの無い範囲内において適宜変更が可能なものである。本実施の形態では、受け部材６に一旦収納して所定数が溜まったときに開閉蓋８を開放して袋詰めされるように説明したが、受け部材で必ずしも一旦溜めずに直接袋詰めされても良いし、その他の収納装置に連結しても構わない。また、ホッパの形状や切り出し筒の形状など、実施例のものに限定されない。被計数物として錠剤を採用したが、食品、お菓子などの固形物などであっても構わないし、ホッパ内から切り出し可能な粒体、片状体、小塊状体などであっても構わない。計数アダプタの溝の形状は、その用途や取り扱う被計数物に応じて、適宜選択しても良い。
【図面の簡単な説明】
【００３３】
【図１】本発明の実施形態を説明するための切り出し計数装置の正面図である。
【図２】本発明の実施形態に係る切り出し筒を示す正面図である。
【図３】本発明の実施形態に係る切り出し筒を示す側面図である。
【図４】本発明の実施形態に係る計数アダプタを示し、（ａ）は正面図、（ｂ）は（ａ）に示すＢ矢視図である。
【図５】従来の実施形態に係る計数装置として用いた切り出し秤量装置の正面図である。
【産業上の利用可能性】
【００３４】
錠剤などの粒体の正確な所定数の切り出しを可能とし、切り出し筒の排出側先端に計数アダプタを設けることによって、正確な所定数の切り出しを容易にする切り出し計数装置に適用される。
【符号の説明】
【００３５】
１  切り出し計数装置
２  被計数物
３  ホッパ
３ａ  排出部
４  切り出し筒
４ａ  外筒
４ａａ  端部
４ｂ  内筒
４ｂｂ  フランジ
４ｄ  端部
５  回転手段、モータ
６  受け部材
６ａ  排出口
７  計数アダプタ
７ａ  溝
７ｂ  羽根板
７ｂａ  突起
７ｅ  囲い部
７ｅａ  開口部
７ｆ  突起
７ｇ  基部
８  開閉蓋
９  開閉手段、ソレノイド
１０  第１の歯車
１１  第２の歯車
１２  架台
１３  支柱
１４  支柱
１４ｃ  高さ調整構造
１５  シュート
１６  計数用センサ
【図１】
2012058969.tif 000003
【図２】
2012058969.tif 000004
【図３】
2012058969.tif 000005
【図４】
2012058969.tif 000006
【図５】
2012058969.tif 000007